【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
個別に発光輝度を変更可能な複数の光源を有する発光手段と、
前記発光手段からの光を変調することで画像を表示する表示パネルと、
１つ以上の光源を１つの発光単位として、画像データに基づいて発光単位毎に発光輝度を決定する演算処理を行い、各発光単位を前記演算処理によって決定された発光輝度で発光させる制御手段と、
を有し、
第１フレームの画像データと、次の第２フレームの画像データとを比較して、前記第１フレームの画像データに対して変化があった前記第２フレームの画像データの変化部分を検出する検出手段と、
前記変化部分に対応する光源を含むように、前記第２フレームに対し発光輝度の演算処理を行う対象となる演算対象領域を決定する決定手段と、
前記演算対象領域内に含まれる光源の数に応じて、前記第２フレームに対する前記演算対象領域内の光源の発光単位を設定する設定手段と、
を備えることを特徴とする表示装置。
【請求項２】
前記制御手段が１つのフレームに対して発光輝度の演算処理を行うことが可能な発光単位の数の最大値である最大発光単位数があらかじめ決まっており、
前記設定手段は、前記第２フレームに対して発光輝度の演算処理が必要になる発光単位の数が前記最大発光単位数を超えないように、前記演算対象領域内に設定する発光単位の数と各発光単位の形態を決定することを特徴とする請求項１に記載の表示装置。 
【請求項３】
前記設定手段は、前記第２フレームに対して発光輝度の演算処理が必要になる発光単位の数が、前記最大発光単位数を超えない範囲で、最も多くなるように、前記演算対象領域内に設定する発光単位の数と各発光単位の形態を決定することを特徴とする請求項２に記載の表示装置。
【請求項４】
前記設定手段は、
前記演算対象領域内の光源の数が前記最大発光単位数以下である場合は、前記演算対象領域内の全ての光源に対し、１つの光源からなる形態の発光単位を設定し、
前記演算対象領域内の光源の数が前記最大発光単位数よりも多い場合は、前記演算対象
領域内の全て又は一部の光源に対し、２つ以上の光源からなる形態の発光単位を設定することを特徴とする請求項２又は３に記載の表示装置。
【請求項５】
前記発光単位には、光源の数が互いに異なるｎ種類（ｎは２以上の整数）の形態があり、
前記最大発光単位数をＮとし、
前記演算対象領域内に含まれる光源の数をＭとし、
発光単位を構成する光源の数をａとした場合に、
前記設定手段は、前記演算対象領域内の光源に対し、
Ｍ≦Ｎ×ａ
を満たす形態のなかで、光源の数ａが最も小さい形態の発光単位を設定することを特徴とする請求項２乃至４のいずれか１項に記載の表示装置。
【請求項６】
前記発光単位には、光源の数が互いに異なるｎ種類（ｎは２以上の整数）の形態があり、
前記設定手段は、
第１から第ｎの各形態の発光単位を構成する光源の数をａ1、ａ２、・・・、ａｎとし
、前記演算対象領域内に含まれる各形態の発光単位の数をＳ１、Ｓ２、・・・、Ｓｎとし、
前記最大発光単位数をＮとし、
前記演算対象領域内に含まれる光源の数をＭとした場合に、
Ｍ＝ａ１×Ｓ１＋ａ２×Ｓ２＋・・・＋ａｎ×Ｓｎ
Ｎ≧Ｓ１＋Ｓ２＋・・・＋Ｓｎ
を満たし、且つ、Ｓ１＋Ｓ２＋・・・＋Ｓｎの値が最大となるように、前記演算対象領域内に設定する各形態の発光単位の数を決定することを特徴とする請求項２乃至４のいずれか１項に記載の表示装置。
【請求項７】
前記決定手段は、前記第１フレームに対して設定された複数の発光単位の組み合わせにより、前記第２フレームに対する前記演算対象領域を決定することを特徴とする請求項１乃至６のいずれか１項に記載の表示装置。
【請求項８】
前記演算対象領域内に、光源の数が互いに異なる複数種類の形態の発光単位を設定する場合に
前記設定手段は、前記第２フレームの画像データのなかでの輝度又は色の変化が大きい部分に対応する領域に対し、光源の数が少ない形態の発光単位を優先的に設定することを特徴とする請求項１乃至７のいずれか１項に記載の表示装置。
【請求項９】
前記制御手段は、前記第２フレームに対する前記演算対象領域より外の光源については前記第２フレームの画像データに基づく発光輝度の演算処理を行わず、前記第１フレームに対する発光輝度と同じ発光輝度で前記演算対象領域より外の光源を発光させることを特徴とする請求項１乃至８のいずれか１項に記載の表示装置。
【請求項１０】
個別に発光輝度を変更可能な複数の光源を有する発光手段と、
前記発光手段からの光を変調することで画像を表示する表示パネルと、
を有し、
１つ以上の光源を１つの発光単位として、画像データに基づいて発光単位毎に発光輝度を決定する演算処理を行い、各発光単位を前記演算処理によって決定された発光輝度で発光させる表示装置の制御方法であって、
第１フレームの画像データと、次の第２フレームの画像データとを比較して、前記第１フレームの画像データに対して変化があった前記第２フレームの画像データの変化部分を
検出するステップと、
前記変化部分に対応する光源を含むように、前記第２フレームに対し発光輝度の演算処理を行う対象となる演算対象領域を決定するステップと、
前記演算対象領域内に含まれる光源の数に応じて、前記第２フレームに対する前記演算対象領域内の光源の発光単位を設定するステップと、
を含むことを特徴とする表示装置の制御方法。
【手続補正２】
【補正対象書類名】明細書
【補正対象項目名】０００８
【補正方法】変更
【補正の内容】
【０００８】
上記目的を達成するために本発明にあっては、
個別に発光輝度を変更可能な複数の光源を有する発光手段と、
前記発光手段からの光を変調することで画像を表示する表示パネルと、
１つ以上の光源を１つの発光単位として、画像データに基づいて発光単位毎に発光輝度を決定する演算処理を行い、各発光単位を前記演算処理によって決定された発光輝度で発光させる制御手段と、
を有し、
第１フレームの画像データと、次の第２フレームの画像データとを比較して、前記第１フレームの画像データに対して変化があった前記第２フレームの画像データの変化部分を検出する検出手段と、
前記変化部分に対応する光源を含むように、前記第２フレームに対し発光輝度の演算処理を行う対象となる演算対象領域を決定する決定手段と、
前記演算対象領域内に含まれる光源の数に応じて、前記第２フレームに対する前記演算対象領域内の光源の発光単位を設定する設定手段と、
を備えることを特徴とする。
【手続補正３】
【補正対象書類名】明細書
【補正対象項目名】０００９
【補正方法】変更
【補正の内容】
【０００９】
また、個別に発光輝度を変更可能な複数の光源を有する発光手段と、
前記発光手段からの光を変調することで画像を表示する表示パネルと、
を有し、
１つ以上の光源を１つの発光単位として、画像データに基づいて発光単位毎に発光輝度を決定する演算処理を行い、各発光単位を前記演算処理によって決定された発光輝度で発光させる表示装置の制御方法であって、
第１フレームの画像データと、次の第２フレームの画像データとを比較して、前記第１フレームの画像データに対して変化があった前記第２フレームの画像データの変化部分を検出するステップと、
前記変化部分に対応する光源を含むように、前記第２フレームに対し発光輝度の演算処理を行う対象となる演算対象領域を決定するステップと、
前記演算対象領域内に含まれる光源の数に応じて、前記第２フレームに対する前記演算対象領域内の光源の発光単位を設定するステップと、
を含むことを特徴とする。